(57)【要約】  本発明は、円形機で製作された弾力のある挿入物を有する衣類に関連し、そのタイプは、通常使用される地糸と補強糸に加えて、さらなるエラストマー織糸を入れ込むことと、水平及び斜めの両方に、機械製作された部分を生成するように、実際に織糸を編むこととによって得られた弾力を付与されたセクタ（３）と、弾力を付与されたゾーンを備え、これは結果として、同列上で編まれたステッチよりも高い圧縮を提供する、はっきりと規定されて境界を定められたゾーンとなり、これにより、弾力を付与されたセクタ（３）内で、編まれたステッチの同列上のセクタの外側よりも高い圧縮値を提供する。弾力を付与されたセクタ（３）は、装飾的な図形又は特有の圧縮を有するバンディングを生成する設計された部分であり、これは適切に位置付けられ、適切な寸法とされたとき、支えを提供し、血液循環の刺激に貢献し、疲労を低減し、動きをより安全でより支えられるようにし得る。
2018511456.tif 000002
【特許請求の範囲】
【請求項１】
円形機を使用して製作される弾力のある挿入物を有する衣類であって、
かかる衣類は、通常使用される地糸と補強糸に加えて、さらなるエラストマー織糸を入れ込むことによって得られ、そして、実際に、水平及び斜めの両方に、前記エラストマー織糸を編み、機械製作された部分を生成することによって得られる弾力を付与されたセクタ（３）であって、結果として、同列上で編まれたステッチよりも高い圧縮を提供する、はっきりと規定されて境界を定められたゾーンとなる、セクタ（３）を有するという事実によって特徴付けられ、
前記弾力を付与されたセクタ（３）内で、編まれたステッチの前記同列上の前記セクタの外側よりも高い圧縮値を提供し、かかる弾力を付与されたセクタ（３）は、これにより、装飾的な模様を生成する飾り部分か、又は、適切に位置付けられ、適切な寸法とされたとき、支えとして働き、血液循環の刺激に貢献し、疲労の感覚を低減し、動きをより安全でより良く支える特有の圧縮バンデージのいずれかになる、円形機を使用して製作される弾力のある挿入物を有する衣類。
【請求項２】
かかる衣類が、接触している筋肉を支えてマッサージするように設計された特定の編み方を有する弾力を付与されたゾーン（４、４０、４１、６０、６１、６２及び６３）を有するという事実によって特徴付けられた、請求項１に記載の円形機を使用して製作される弾力のある挿入物を有する衣類。
【請求項３】
かかる弾力を付与されたセクタとかかる弾力を付与されたゾーンの存在が、
前記衣類が、異なる弾力の程度と特定の収容の程度を有する編まれた布の部分を有することができるようにし、支えを提供して、筋肉を刺激するリンパマッサージ動作を実行するように設計された張力の線／部分を生成し、これにより、筋肉又は腱疲労に関して利益を提供するという事実によって特徴付けられた、請求項１に記載の円形機を使用して製作される弾力のある挿入物を有する衣類。
【請求項４】
かかる衣類が、以下の場所に位置付けられた１つ以上の弾力を付与されたセクタ（３）によって特徴付けられた靴下であるという事実によって特徴付けられた、請求項１に記載の円形機を使用して製作される弾力のある挿入物を有する衣類、
Ｙとよく似た形を有する、足首骨周りと足の頸に渡る又は脹脛にまで伸長する第１のセクタであって、脹脛の刺激に貢献して、足首骨関節を安定させるのに使用され、筋肉が張っているとき、かかるセクタは張りを低減することに加えて、疲労の感覚を低減する支えを提供する、第１のセクタ、
一側面で足首に向かい、他方で前足に向かって延びて、前記足の頸の上に位置付けられる第２の弾力を付与されたセクタ（３）であって、足回りを包み前記足の頸の関節を収容するように設計され、これにより可能性あるタイプの動きを制御する第２の弾力を付与されたセクタ（３）、及び
前記足の下、その土踏まずに置かれ、本質的に「豆のような」形状を有する足首内側まで延びる第３のセクタ３であって、支えも提供する一方で血液循環を刺激するために、前記足の土踏まずを支えるように設計され、これにより快適な感覚と足の収容を提供する第３のセクタ。
【請求項５】
かかる弾力を付与されたセクタ（３）が、落下又は摩擦によって引き起こされた強打に対して、前記足及び／又は脚の部分のための外部保護を提供し、これによりクッション効果を提供し、かかる保護は、特に、前記足首骨又は関節又は筋肉を保護するための運動用靴下において、及び長時間を動き回って過ごす人々のための仕事用靴下類においても推奨されるという事実によって特徴付けられた、請求項４に記載の円形機を使用して製作される弾力のある挿入物を有する衣類。
【請求項６】
かかる衣類が１つ以上の弾力を付与されたセクタ（３）を特徴とするレギンスの一対であるという事実によって特徴付けられた、請求項１に記載の円形機を使用して製作される弾力のある挿入物を有する衣類であって、ここにおいて、
膝蓋骨を取り囲む第１のセクタ（３１）が、ユーザに、膝についての固さ、安定性、及び保護の感覚を与えるように設計され、靭帯の張りを緩和して筋肉を収容し、
前記第１のセクタ（３１）から分岐する帯（３２）が、脹脛を支えるために脚周りに延びており、
前記第１のセクタ（３１）から鼠蹊部に向かって延びる帯（３４）が、腿、鼠蹊部、腹筋までを保持するように設計され、腿回りに延びて、四頭筋及び内転筋の両方を保護する構成をともなって、支え、圧縮及び安定性を提供し、
多数の適切に分散された帯から構成された背部セクタ（３３）が、その役割は、臀筋を支えることであり、リンパマッサージ動作を実行し、かかる多数の帯は、微小循環を刺激することによって、リンパ系の循環のみでなく、より速い代謝交換を促進し、これにより疲労と乳酸の生成を低減して、運動パフォーマンスと持久力の両方を改善する、円形機を使用して製作される弾力のある挿入物を有する衣類。
【請求項７】
かかるレギンスの一対が、
第１のセクタ（３１）の内部部分における、小さな弾性圧縮が与えられたゾーン（４）であって、膝蓋骨を支えるのを助けて、膝蓋骨腱に亘る圧縮に貢献するように設計された、小さな弾性圧縮が与えられたゾーン（４）、
腿の大腿二頭筋に位置付けられた弾力を付与されたゾーン（４０）であって、かかる筋肉を支えてマッサージするように設計された特有の編み方を与えられた、弾力を付与されたゾーン（４０）、及び
小さな弾性圧縮が与えられて、脹脛の双方の筋肉に動作を働かせるように設計された第３のゾーン（４１）であって、これにより支えを提供してマッサージ動作を実行する第３のゾーン（４１）によって特徴付けられる、
という事実によって特徴付けられた、請求項１に記載の円形機を使用して製作される弾力のある挿入物を有する衣類。
【請求項８】
かかる衣類が、完全にその生体力学機能に関して、さまざまな筋肉量を収容して支えるような構成に配置された１つ以上の弾力を付与されたセクタ（５）を特徴とするトップスであるという事実によって特徴付けられた、請求項１に記載の円形機を使用して製作される弾力のある挿入物を有する衣類であって、ここにおいて、
第１のセクタが、側面上に位置付けられて、斜めの胸部筋肉のための支えを提供するために、腎臓回りに延びて、肩甲骨に向かって上がる一連の帯（５１）であって、腹部部分のための安定性と背骨のための支えを提供するために、腹部帯（５３）と共同作用で動作する一連の帯（５１）によって特徴付けられ、
第２の領域が、肩と肩甲骨回りに延び、肩甲上腕骨リズムを促進する一連の帯（５２）によって特徴付けられ、
第３のセクタが、背骨との対応において位置付けされて、そのために支えを提供して、身体の二等分間の筋力動作の釣り合いを確実にするように設計された一連の帯（５４）を備え、
腕の上に位置付けられた第４の弾力を付与されたセクタであって、ここにおいて、縦帯（５５）が、上腕二頭筋との対応において位置付けされた垂直な挿入物（５６）が分岐する腕尺骨の軸の後方に沿って延び、前腕筋の上に位置付けられたさらなる垂直な挿入物（５７）も同様であり、前記縦帯は、上肢全体の前方と後方の窩の作動筋と拮抗筋の動作を均衡させるのを助ける役割を有する、円形機を使用して製作される弾力のある挿入物を有する衣類。
【請求項９】
かかるトップスが、前記弾力を付与されたセクタよりも低い圧縮による特有の編み方を有し、筋肉領域を支えて保護するように設計された弾力を付与されたゾーン（６０、６１、６２及び６３）によって特徴付けられている、という事実によって特徴付けられた、請求項８に記載の円形機を使用して製作される弾力のある挿入物を有する衣類。
【請求項１０】
前記衣類に在る、かかる弾力を付与されたセクタ（３）は、前記編み物を形成している間に、弾力を付与された織糸を挿入することによって、又は、前記弾力を付与されたセクタを生成して前記地糸で前記弾力のある織糸を働かせることを開始しようと意図したときに前記織糸を挿入し、所望の幅に依存して、１つのラウンドの所定のポイントで編み物の列を形成し、所定の数のステッチを編むことによって前記弾力のある織糸の編み物を開始することによって得られ、前記弾力のある織糸はその後切られて、ステッチを確実にするための地糸とは別に使用される他のかがり糸で、かかる織糸を編むことによって確実にされ、前記エラストマー織糸の機械製作の開始と、前記セクタにおける線の終端の両方において存在し、かかるプロセスは、前記弾力のある織糸が、編み物の次のラウンドにおける使用のために準備されることになる織糸誘導装置によって、前記セクタの開始ポイントに戻るように運ばれることを想定し、次のラウンドで、予め決定されたポイントにおいて、前記弾力のある織糸は再び取り上げられて、前記セクタの所望の形状に依存して、以前のラウンドについてのものと同数、又は、より多い又はより少ないステッチであり得る、模様上で想定されたステッチの数によって機械製作され、製作されることになるセクタの所望の高さと形状を得るために必要とされるのと同じ数のラウンドに対する処理を続けるという事実によって特徴付けられた、請求項１乃至９のいずれか一項に記載の弾力を付与されたセクタを製作するための方法。
【請求項１１】
機械製作の間、前記弾力のある織糸は、所定の数のステッチについて、かがり糸とともに機械製作され、前記セクタの開始と前記終端の両方で、各列上で、かかるかがり糸は前記弾力のある糸をかがって固定にするように設計され、製作されるべき所望のデザインに依存して変化する所定の数のステッチだけそれを編む、という事実によって特徴付けられた、請求項１０に記載の弾力を付与されたセクタを製作するための方法。
【請求項１２】
前記機械製作において使用される弾力のある織糸を別の織糸と編んでかがる間、前記弾力を付与されたセクタ（３）を「枠にいれる」外形／輪郭が生成され得、これは前記セクタの内部に装飾的なデザインを製作する場合は目立たされ、又は、前記セクタが同じ色を有する織糸を使用して製作された場合はあまり目立たないという事実によって特徴付けられた、請求項１０に記載の弾力を付与されたセクタを製作するための方法。
【発明の詳細な説明】
【技術分野】
【０００１】
本発明は、円形機を使用して製作される弾力のある挿入物を有する衣類に関連し、これは、例えば、支え、血液循環の刺激、筋肉組織へのマッサージ、衝撃吸収保護等を提供する、特有の局所化された圧縮を有する区別されたゾーンを生成するのに特に適切である。
【背景技術】
【０００２】
現在、靴下や下着のような円形機を使用して製作される製品にとって、編み物の形態は、物品の螺旋形構造の直接的な結果である。この構造は、編み物の形態に起因して、ねじのねじ山と比較でき、編み物は円周の周囲で実行され、編み物の連続の列を常に同じ方向に載せて、シリンダの各回転ごとに繰り返される。編まれた布の螺旋性は、所定のポイントにおける編み物の列で、及びシリンダの特定の数の回転で編む動作を開始して、１以上の回転の後に終了して、結果として、装飾的な模様又は他のレイアウトを生成するのに使用される織糸も螺旋機械の設定に従うとの事実となり、したがって常に水平方向に展開するデザインを有する。特に、下方に斜めの様式で広がるデザインを生成したいと望むとき、靴下やトップスになるべき半製品の物品は、さらなる地糸を挿入する必要があり、その後、ある数のポイントのすぐ後に、所望のデザイン幅を達成するために、及び、それとともにその後の列において一貫して進行するように、滑落を防止するように試みながら、適切な装置を使用してかかる織糸を切る必要がある。
【０００３】
円形機について単に説明されたシステムは、弾力を持たされていない織糸又は低い程度の弾力を有する織糸で実施可能であり、したがって、このようなタイプの機械は、エラストマー織糸、又は、そこにほんの１パーセントのエラストマーを含む複合織糸を徹底的に排除する。残念なことに、このような織糸は、編み物それ自体によって提供されるものに加えて、その固有の弾力に起因して顕著な圧縮効果が達成されるのを可能にするものだけである。そして、この理由により、このような織糸は、スポーツ分野と医療分野の両方において、広く使用される。
【０００４】
エラストマー織糸の使用における困難さは、一旦編まれると、織糸がまさにその性質から、編み物から外に出る傾向があるという事実に起因する。これは、切るときに、織糸は挿入方向で後ろへ収縮して有効性を失い、その後ほつれが生じ、これは審美的に不快なものであり、織糸が事実上グリップ力を失っており、弾力のある織糸の存在を効果の弱いものにするからである。
【０００５】
知られているように、現在、弾力のある織糸は、弾力と圧縮を生み出すように、地糸として又はテクスチャ織糸として使用され、物品により高い圧縮を与える必要性があるとき、人は単純に織糸をさらにピンと張る、即ち張力をかける。このような方法は、しかしながら、編まれた布を通して弾力のある織糸が存在することを要求する。
【０００６】
特に、靴下において、またトップスやレギンスのような衣類においても、タオル地処理を用いることにより、弾力のある「バンディング（banding）」効果が達成されるけれども、これは、このような挿入は容積を大きくし、快適であり得ず、さらに依然としてその厚みに起因して適切な圧縮を提供しないことを意味し、これは適切な張力の妨げとなり、これにより、圧縮効果を制限することとなる。さらに、いくつかのタイプの靴下において、「バンディング」効果が生み出されるが、異なる圧縮及び／又はグリップの能力を有する布における異なる構造に対応しないので、視覚的な項目においてのみ異なる機械製作を特徴とする、意図した領域内のものに限られる。このような領域は心理的な助けであるに過ぎす、実際に効果的なものではない。
【０００７】
これまで説明された全てのものに加えて、市場によって示された需要があり、例えばスリムで平たい編み物で編まれた布を特徴とする靴下であり、これは同時にはっきりと規定されたゾーンにおける圧縮と、特定のゾーンにおける保護を提供する能力がある。
【０００８】
知られているように最近では、ユーザの間で、これらの使用に関して、快適で、実用的で、帰納的で、審美的に好ましく、柔軟性がある服やアクセサリーについての多くの興味がある。
【０００９】
実際、例えば運動をする男性と女性が、彼らのスポーツ活動のために使用する服やアクセサリーのこととなったとき、特に要求が厳しく、彼らが選択に注意深くなることは既知の事実であり、これは彼らが、彼らの期待とニーズを満たさない、時には不当に高まった期待であっても満たさない衣類については、妥協を受け入れるのを拒否することを意味する。
【発明の概要】
【００１０】
本発明の目的は本質的に、円形機を使用して製作される弾力のある挿入物を有する衣類を用いて上述された欠点を克服する、共通して知られる技術の課題を解決することであり、これは、斜め及び同様に水平方向における、及び、任意の場合において、制限された予め規定されたゾーンにおけるエラストマー織糸を有する設計に特徴付けられる。
【００１１】
本発明の第２の目的は、円形機を使用して製作される弾力のある挿入物を有する衣類を製作することであり、挿入物は、同列上に存在する編み物に関して、より高い圧縮の正確な伸縮を形成することに加えて、不快な厚みなく身体の形態学に完璧に適応することができる。
【００１２】
本発明のさらなる目的は、着用されたときに、ユーザが血液循環の刺激、マッサージ効果、支え、及び際立った快適さを取得できるようにする能力がある、円形機を使用して製作される弾力のある挿入物を有する衣類を製作することである。
【００１３】
本発明のさらなる目的は、円形機を使用して製作される弾力のある挿入物を有する衣類を製作することであり、挿入物は、収容のために異なる特有の程度の弾力を有する、適切な弾力のある帯又は弾力のあるゾーンを有することを特徴とする。
【００１４】
本発明のさらなる目的は、迅速に及び容易に身に着けられて脱がされ得る、円形機を使用して製作される弾力のある挿入物を有する衣類を製作することである。
【００１５】
本発明の、最後ではないが、さらなる目的は、作るのが容易で上手く働く、円形機を使用して製作される弾力のある挿入物を有する衣類を製作することである。
【００１６】
本明細書の記述の過程に亘ってより良く現れるこれらの目的とその他の事項は、以下の特許請求の範囲に記述される、円形機を使用して製作される弾力のある挿入物を有する衣類によって、本質的に達成される。
【００１７】
付随する図面を参照して、限定的でない例の形態で提供される、本発明による円形機を使用して製作される弾力のある挿入物を有する衣類の詳細な記述に、さらなる特徴と利点がより良く見いだされよう。
【図面の簡単な説明】
【００１８】
【図１】図１は、円形機上での編み物の製作のダイヤグラムを示す。
【図２Ａ】図２Ａは、本発明による円形機を使用して製作される弾力のある挿入物を有する衣類を概略的に示す。
【図２Ｂ】図２Ｂは、本発明による円形機を使用して製作される弾力のある挿入物を有する衣類を概略的に示す。
【図２Ｃ】図２Ｃは、本発明による円形機を使用して製作される弾力のある挿入物を有する衣類を概略的に示す。
【図２Ｄ】図２Ｄは、本発明による円形機を使用して製作される弾力のある挿入物を有する衣類を概略的に示す。
【図３Ａ】図３Ａは、図２における衣類の変形を概略的に示す。
【図３Ｂ】図３Ｂは、図２における衣類の変形を概略的に示す。
【図３Ｃ】図３Ｃは、図２における衣類の変形を概略的に示す。
【図３Ｄ】図３Ｄは、図２における衣類の変形を概略的に示す。
【図４Ａ】図４Ａは、本発明による弾力のある挿入物を有する異なる衣類を、正面図と背面図からそれぞれ概略的に示す。
【図４Ｂ】図４Ｂは、本発明による弾力のある挿入物を有する異なる衣類を、正面図と背面図からそれぞれ概略的に示す。
【図５Ａ】図５Ａは、弾力のある挿入物を有するさらなる衣類を、正面図と背面図からそれぞれ概略的に示す。
【図５Ｂ】図５Ｂは、弾力のある挿入物を有するさらなる衣類を、正面図と背面図からそれぞれ概略的に示す。
【発明を実施するための形態】
【００１９】
前述の図面を参照して、１は、本発明による円形機を使用して製作される弾力のある挿入物を有する衣類を全体として示すのに使用される。
【００２０】
図２Ａ、図２Ｂ、図２Ｃ及び図２Ｄ、ならびに、図３Ａ、図３Ｂ、図３Ｃ及び図３Ｄにおいて示されるように、議論している衣類１は、爪先２０、従来の踵２１、足回りを包む部分２２、足首と脚回りを包む部分２３、及び衣類が前述の脚を確実に滑り落ちないようにするために、ユーザの脚にくっつくように想定された弾力を付与された端２４を有する従来の靴下のような特徴をして構成された靴下である。
【００２１】
本発明により製作された靴下は、通常使用される地糸と補強糸に加えて、さらなるエラストマー織糸を入れ込むこと、そして実際に織糸を編むことによって得られた、弾力をもたされたセクタ３を特徴とする。このように、機械製作部分は、水平及び斜め方向の両方で生成され、例えば図２Ｂにおいて示されるように、はっきりと規定されて境界を定められたゾーンに対して発端を与え、これは同列の編み物に関してより高い圧縮を提供する。
【００２２】
さらに特に、弾力を付与されたセクタ３内で、編み物の同列上のセクタの外部に関して、より高い圧縮率がある。
【００２３】
このような弾力を付与されたセクタ３はデザインされて、装飾的な図形又は特定の圧縮を有するバンディングを生成し、これは例えば、これは図２Ａ及び図２において示されるように、それらが足首骨回りに置かれて足の頸にかかるとき、又は、図３Ａ及び図３Ｃにおけるように、脹脛まで伸長するときのように、適切に位置付けられて、適切な寸法とされたとき、血液循環の刺激に貢献し得る。この場合において、弾力を付与されたセクタはＹによく似た形状を有し、これは足首骨関節を固定するのに使用され、脹脛の刺激に貢献し、筋肉が張っているとき、このようなセクタは、歪みを低減することに加えて、疲労の感覚を低減する支えを提供する。
【００２４】
本発明による、さらなる弾力を付与されたセクタ３は、（一側面で足首に向かって、他の側面で前足に向かう張力で）足の頸に渡って位置付けられ、図２Ｂ及び図２Ｄにおいて示されるようにこれを包む。ちょうど説明された弾力を付与されたセクタは、足の頸の関節を含むように設計され、これにより、可能性ある動きのタイプを制御する。
【００２５】
図２Ｃ及び図２Ｄにおいて示されているように、支えも提供する一方で血液循環を刺激するために、さらなるセクタ３が、足の下、その土踏まずに置かれ、本質的に「豆のような」形状を有する足首内側まで延び、これは足の土踏まずを支えるように設計され、これにより快適な感覚と足の収容を提供する。さらに、セクタ３は、落下又は摩擦によって引き起こされる強打に対して、足及び／又は脚の部分のための外部保護を提供し、これにより和らげる効果を提供する。このような保護は特に、足首骨又は関節又は筋肉を保護するための、例えばスキーヤーの運動用靴下において推奨されるが、常に動いている人のための仕事用靴下においても推奨される。
【００２６】
特に、弾力を付与されたセクタ３は、効果的なマッサージ効果を生み出し、これは動きがより安全にされて、さらに支えるので、ユーザに快適な感覚を提供する。
【００２７】
これまで説明された全てのものに加えて、靴下における弾力を付与されたセクタ３の存在は、適切な弾力のある帯の生成及び挿入、又は、収容のための異なる特定の程度の弾力を有する伸縮を可能にし、これは張力の線が生成されて支えられるのを可能にし、これは筋肉組織を刺激するリンパマッサージを実行し、したがって筋肉又は腱疲労に関して利点が取得され得る。
【００２８】
上述されたように、編み物を形成する間に、弾力を付与された織糸を挿入することによって、又は、人が弾力を付与されたセクタを生成して地糸で弾力のある織糸を働かせることを開始しようと意図したときに織糸を挿入することによって得られ、所望の幅に依存して、１つのラウンド（round）の所定のポイント（point）で編み物の列を形成することと、所定の数のステッチを編むことによって弾力のある織糸の編み物を開始することによって、弾力を付与されたセクタ３は得られ、弾力のある織糸はその後切られて、他のかがり糸でこのような織糸を編むことによって固定され、これは、ステッチを固定するための地糸とは別に使用され、エラストマー織糸の機械製作の開始と、セクタにおける線の終端の両方において存在する。次のラウンド（round）で、予め決定されたポイントにおいて、弾力のある織糸は再び取り上げられて、デザインにおいて確立されたステッチの数だけ編まれ、製作したいと望むセクタの形状に依存して、以前の列におけるステッチの数と等しくなり得る、又は、数が多く又は小さくなり得る。機械製作は、その後、製作されるべきセクタの高さと形状に到達するために必要な数のラウンドについて、記述されたように続ける。
【００２９】
さらに詳細には、円形動作での機械製作の間、弾力のある織糸は、所定の数のステッチのためのかがり糸とともに機械製作され、一部分が完了したとき、弾力のある織糸はいったん再び別の織糸と結合され、これは、このような前の織糸を縛って確実にするのに使用される、即ち、織糸は、所定の数のステッチに対して編まれて、これは製作されることになる所望のデザインに依存して変化する。弾力のある織糸はその後切られて、編み物の次のラウンドのために準備された織糸誘導装置によって、開始ポイントに戻るように運ばれる。機械製作において使用される弾力のある織糸を別の織糸と編んで縛るための動作は、弾力を付与されたセクタ３を「枠にいれる（frame）」外形／輪郭が生成されるのを可能にする。特に、外形／輪郭を生成するかがり糸は、人がセクタ内部に装飾的なデザインを製作する場合は目立たされることができ、又は、セクタが同じ色を有する織糸を使用して製作された場合はあまり目立たない。
【００３０】
本発明に関し、図４Ａと図４Ｂにおいて示されるように、さらなる衣類は、ズボン又はレギンスから成る。
【００３１】
ズボン１は、異なる場所に特別の構成で位置付けられた弾力のあるセクタを有している。
【００３２】
図４Ａにおいて示されるように、第１のセクタ３１は、グリップの感覚を与えるために膝蓋骨を取り囲むように位置付けられ、したがって、ユーザの膝での安定性は、靭帯の張りを緩和して、筋肉を収容して、保護の感覚を提供する。このようなセクタから帯３２が分岐し、足回りに延びて脹脛を支え、靴下についてより以前に記述されたのと同じ方針及び形態にしたがう。
【００３３】
さらに、膝ゾーンにおいても、弾力の低い圧縮を与えられたゾーン４があり、これは、膝蓋骨を支えるのを助けて、膝蓋骨腱に渡る圧縮に貢献するように設計される。ズボンは、腿の大腿二頭筋に位置付けられ、このような筋肉を支えてマッサージするように設計された特有の編み方を与えられた第２の弾力を付与されたゾーン４０を特徴とする。
【００３４】
さらなるゾーン４１は、弾力の低い圧縮を特徴とし、脹脛の双方の筋肉に動作を働かせ、これにより、支えを提供してマッサージ動作を実行する。
【００３５】
これまで説明された全てのものに加えて、ズボンは、図４Ｂにおいて示されるように、多数の適切に分散された帯から構成された背部セクタ３３を特徴とし、この役割は、リンパマッサージ動作を実行する臀筋を支えることである。
【００３６】
このような帯の配置は、微小循環を刺激することによって、リンパ系の循環のみでなく、より速い代謝交換を促進し、これにより疲労と乳酸の生成を低減して、運動パフォーマンスと持久力の両方を改善する。
【００３７】
膝セクタ３１に戻ると、ここから鼠蹊部に向かって延びる帯３４は、腿、鼠蹊部及び腹筋までを保持するように設計され、支え、圧縮及び安定性を提供し、腿回りに延びる構成により、通常外傷を受けやすい四頭筋及び内転筋の両方を保護する。
【００３８】
本発明にしたがって製作されたさらなる衣類は、図５Ａ及び図Ｂにおいて示されるようなトップスであり、これは弾力を付与されたセクタ５を特徴とし、これは完全にその生体力学機能に関して、さまざまな筋肉量を収容して支えるような構成において配置される。
【００３９】
第１のセクタは、一連の帯５１を特徴とし、これは側面上に位置付けられて、腎臓回りに延びて、肩甲骨に向かって上がり、斜めの胸部筋肉のための支えを提供し、腹部部分のための安定性と背骨のための支えを提供するように、腹部帯５３との共同作用で働く。
【００４０】
さらに、肩と肩甲骨回りの帯５２は、完璧な肩甲上腕骨リズムを促進する。
【００４１】
さらに、一連の帯５４は、背骨との対応において位置付けされて、そのために支えを提供して、身体の二等分間の筋力動作の釣り合いを確実にするように設計される。
【００４２】
トップスには、腕の上に位置付けられたさらなる弾力を付与されたセクタが想定され、ここにおいて、縦帯５５が腕尺骨の軸の後方に沿って延び、上腕二頭筋に対応して位置付けられた垂直挿入物５６がそこから分岐し、前腕筋の上に位置付けられたさらなる垂直挿入物５７もそのように分岐する。
【００４３】
前述の帯は、上肢全体の前方と後方の窩（socket）の作動筋と拮抗筋の動作を均衡させるのを助ける役割を有する。さらに特に、帯５６と５７は、筋収縮の間の筋肉疲労を低減することを可能にする。
【００４４】
１つの変形では、肩、肩甲骨及び胸筋を覆う帯の存在が想定される。
【００４５】
さらに、トップスでは、弾力を付与されたゾーン６０、６１、６２及び６３が、弾力を付与されたセクタよりも低い圧縮による特有の編み方を有することが想定される。
【００４６】
これまで説明された全てのものは、実施形態からなるが、同じ考え方により、帯と弾力を付与された領域の他の構成が生成され、異なる場所にも位置付けられ、例えば他のスポーツ活動や他のタイプの仕事／力／動きにおいて使用される他の筋肉を支えて保護するように設計され得る。
【００４７】
主として構造について記述してきたが、議論されている本発明は、ここで概説される。
【００４８】
ユーザがスポーツ活動を実行しようと意図するとき、又は、努力を必要とする一連の反復性の動作を労働者が実行するとき、このようなユーザは、さまざまな動作と努力の間、助けられ、支えられるとともに保護されるために、本発明による衣類のうちの１つ以上を単に着用すれば足りる。
【００４９】
このように、本発明は設定された目的を達成する。
【００５０】
議論している円形機を使用して製作される弾力のある挿入物を有する衣類は、予め規定された、輪郭をとられた、弾力を付与されたセクタを特徴とし、このセクタは、支え及び／又は正確な位置での圧縮を提供することができるゾーンを生成するために、斜め方向とともに、水平に、又は、任意の形状と寸法の構成の、エラストマー織糸の伸縮を含んでいる。
【００５１】
有利なことに、本発明による衣類は、不快な厚みなく身体の形態に完璧に適合し、同列上に存在する編み物に関して、より高い圧縮の正確な伸縮を特徴とする。
【００５２】
さらに、弾力を有する衣類は、着用されたときに、ユーザが血液循環の刺激、マッサージ効果、最適な支え、及び際立った快適さも得るのを可能にする。
【００５３】
さらに、弾力のある挿入物を有する衣類は、同じセクタ内部の収容について異なる特定の程度の弾力で、垂直及び水平の両方に、又は、変更可能な構成により、弾力のある帯又は弾力のあるゾーンを有し得る。
【００５４】
議論している衣類によって提供されるさらなる利点は、このような衣類が迅速かつ容易に身に着けられて脱がれ得ることである。
【００５５】
有利なことに、本発明による衣類は、筋肉と腱両方の挫傷を防ぐことに加えて、ユーザの皮膚、骨、筋肉及び腱に対する機械的圧迫のかなりの低減を可能にする。
【００５６】
さらに、本衣類は、容易に迅速に身に着けられて脱がれ、（著しく締め付けを示す、弾力のある織糸が編み全体に存在した従来の技術により、例えば、かつて靴下で生じたような）著しい締め付けなしで、快適さと保護を提供し、（よく知られた技術による、靴下において存在するタオル地挿入物で生じるような）目障りに嵩張る膨らみを防ぐ。
【００５７】
議論している衣類は、得られた布が、所望のグリップが達成されることができるようにする適切な設定により、正確に測定されるように、弾力のある織糸が予め定められた部分中に編むことができるので、革新的な効果が達成されるのを可能にする。事実、弾力のある織糸を単に挿入することによって（円形機処理に対して生み出された以下の変化のように）同じ布を製作することは不可能である。
【００５８】
本衣類によって達成された１つの利点は、邪魔で不快な要素が低減され、その動作と努力の間、ユーザをはるかに安全にさせるので、ユーザのパフォーマンスが改善することである。
【００５９】
特に、ストレス要因を低減することによって、ユーザがその身体の健康をより迅速に回復するのを助けて、スポーツ活動の後の状態も改善される。
【００６０】
このような衣類によって提供された利点のうちの１つは、疑いなく任意の衣服とともに着用可能であるものであり、したがって、編まれた構成の布が平らで薄いので、このような衣類が人の衣服の下で目立たないので、そこから新たな着付けの方法が発生し得る。
【００６１】
さらなる利点は、議論している衣類が作製するのに容易であり、よく働くという事実に起因する。
【００６２】
当然、さらなる修正又は変形が、これを特徴付ける本発明の範囲内に留まる限り、本発明に適用され得る。
【図１】
2018511456.tif 000003
【図２Ａ】
2018511456.tif 000004
【図２Ｂ】
2018511456.tif 000005
【図２Ｃ】
2018511456.tif 000006
【図２Ｄ】
2018511456.tif 000007
【図３Ａ】
2018511456.tif 000008
【図３Ｂ】
2018511456.tif 000009
【図３Ｃ】
2018511456.tif 000010
【図３Ｄ】
2018511456.tif 000011
【図４Ａ】
2018511456.tif 000012
【図４Ｂ】
2018511456.tif 000013
【図５Ａ】
2018511456.tif 000014
【図５Ｂ】
2018511456.tif 000015
【国際調査報告】
2018511456.tif 000016
2018511456.tif 000017